(57)【要約】認証対象者のバイオメトリクス情報を入力するバイオメトリクス情報入力部（４）と、照合用バイオメトリクス特徴情報と参照用バイオメトリクス特徴情報とを比較・照合する照合部（７）と、照合用バイオメトリクス特徴情報が所有者本人のものであると認識されるとその認証結果を保持する認証結果保持部（８）と、秘密情報記憶部（１２）に記憶された所有者についての秘密情報を外部に出力可能な秘密情報出力部（１３）と、この秘密情報出力部（１３）が未使用状態であることを未使用状態検出部（１１）が検出した時に、認証結果保持部（８）に保持された検証結果を削除する認証結果削除部（９）とをそなえるように構成することにより、カード型記憶媒体のセキュリティ強度を高めるとともに、使用者にとって使い易くすることができる。
2004023390.tif 000002
【特許請求の範囲】
【請求項１】
所有者についての秘密情報を記憶する秘密情報記憶部（１２）と、
認証対象者のバイオメトリクス情報を入力するバイオメトリクス情報入力部（４）と、
該バイオメトリクス情報入力部（４）より入力された該バイオメトリクス情報から照合用バイオメトリクス特徴情報を抽出する抽出部（５）と、
該抽出部（５）によって抽出された該照合用バイオメトリクス特徴情報と参照用バイオメトリクス特徴情報とを比較・照合する照合部（７）と、
該照合部（７）による照合の結果、該照合用バイオメトリクス特徴情報が該所有者本人のものであると認識されると、その認証結果を保持する認証結果保持部（８）と、
該秘密情報記憶部（１２）に記憶された該秘密情報を外部に出力可能な秘密情報出力部（１３）と、
該認証結果保持部（８）に保持された該認証結果が、該照合用バイオメトリクス特徴情報が該所有者本人のものであることを示す場合に、該秘密情報出力部（１３）に前記秘密情報記憶部（１２）に記憶された秘密情報を出力させる通信制御部（１０）と、
該秘密情報出力部（１３）が未使用状態であることを検出可能な未使用状態検出部（１１）と、
該秘密情報出力部（１３）が未使用状態であることを該未使用状態検出部（１１）が検出した時に、該認証結果保持部（８）に保持された該認証結果を削除する認証結果削除部（９）とをそなえることを特徴とする、電子記憶装置。
【請求項２】
該秘密情報出力部（１３）が、接触型端子（３１）をそなえて構成され、該秘密情報を当該電子記憶装置の外部に対して該接触型端子（３１）を介して出力可能なことを特徴とする、請求の範囲第１項に記載の電子記憶装置。
【請求項３】
該秘密情報出力部（１３）が、非接触型通信機能をそなえて構成され、該秘密情報を当該電子記憶装置の外部に対して該非接触型通信機能により出力可能なことを特徴とする、請求の範囲第１項又は第２項に記載の電子記憶装置。
【請求項４】
少なくとも該秘密情報出力部（１３）がカード形状を有するカード部（３ａ，３ｂ）にそなえられるとともに、少なくとも該バイオメトリクス情報入力部（４）が、該カード部（３ａ，３ｂ）と通信可能に接続された本体部（２ａ，２ｂ，２ｃ）にそなえられることを特徴とする、請求の範囲第１項〜第３項のいずれか１項に記載の電子記憶装置。
【請求項５】
該カード部（３ａ）の一端部と該本体部（２ａ）とが蝶番（１７）を介して連結されることにより、該本体部（２ａ）に対して該カード部（３ａ）が折りたたみ可能に取り付けされ、
該未使用状態検出部（１１）が、該カード部（３ａ）が折りたたまれたことを検出することにより、前記カード部（３ａ）が未使用状態であることを検出することを特徴とする、請求の範囲第４項に記載の電子記憶装置。
【請求項６】
該カード部（３ｂ）が該本体部（２ｂ，２ｃ）に対して脱着可能に構成されるとともに、
該未使用状態検出部（１１）が、該照合部（７）により該照合用バイオメトリクス特徴情報が該所有者本人のものであると認識された後に、該カード部（３ｂ）が該本体部（２ｂ，２ｃ）から取り外され、再度、当該本体部（２ｂ，２ｃ）に取り付けられたことを検出することにより、前記カード部（３ｂ）が未使用状態であることを検出することを特徴とする、請求の範囲第４項に記載の電子記憶装置。
【請求項７】
該カード部（３ｂ）が該本体部（２ｂ）に対して挿入可能に構成されたことを特徴とする、請求の範囲第６項に記載の電子記憶装置。
【請求項８】
所有者の秘密情報を記憶する秘密情報記憶部（１２）と、該秘密情報の出力を許可する旨の出力許可を保持可能な出力許可保持部（１９）と、該秘密情報記憶部（１２）に記憶された該秘密情報を外部に出力可能な秘密情報出力部（１３）と、該出力許可保持部（１９）に該出力許可が保持されている場合に、該秘密情報出力部（１３）に前記秘密情報記憶部（１２）に記憶された秘密情報を出力させる通信制御部（１０）とをそなえてなるカード型記憶媒体（３ｂ）を取り付け可能であり、認証対象者が前記カード型記憶媒体（３ｂ）の所有者であることを認証する認証装置であって、
該カード型記憶媒体（３ｂ）を脱着可能に取り付けられるカード型記憶媒体取付部（４２，４４）と、
該認証対象者のバイオメトリクス情報を入力するバイオメトリクス情報入力部（４）と、
該バイオメトリクス情報入力部（４）より入力された該バイオメトリクス情報から照合用バイオメトリクス特徴情報を抽出する抽出部（５）と、
該抽出部（５）によって抽出された該照合用バイオメトリクス特徴情報と参照用バイオメトリクス特徴情報とを比較・照合する照合部（７）と、
該照合部（７）による照合の結果、該照合用バイオメトリクス特徴情報が該所有者本人のものであると認識された場合に、該カード型記憶媒体（３ｂ）の該出力許可保持部（１９）に該出力許可を保持させる出力許可設定部（２０）と、
該カード型記憶媒体（３ｂ）が未使用状態であることを検出可能な未使用状態検出部（１１）と、
該カード型記憶媒体（３ｂ）が未使用状態であることを該未使用状態検出部（１１）が検出した時に、該出力許可保持部（１９）に保持された該出力許可を削除する認証結果削除部（９）とをそなえることを特徴とする、認証装置。
【請求項９】
該未使用状態検出部（１１）が、該照合部（７）により該照合用バイオメトリクス特徴情報が該所有者本人のものであると認識された後に、該カード型記憶媒体（３ｂ）が該カード型記憶媒体取付部（４２，４４）から取り外され、再度、当該カード型記憶媒体取付部（４２，４４）に取り付けられたことを検出することにより、前記カード型記憶媒体（３ｂ）が未使用状態であることを検出することを特徴とする、請求の範囲第８項に記載の認証装置。
【請求項１０】
該通信部が該カード型記憶媒体取付部（４２）に対して挿入可能に構成されたことを特徴とする、請求の範囲第８項又は第９項に記載の認証装置。
【請求項１１】
認証対象者が秘密情報を記憶するカード型記憶媒体の所有者であることを認証する認証方法であって、
該認証対象者のバイオメトリクス情報を入力するバイオメトリクス情報入力ステップと、
バイオメトリクス情報入力ステップにおいて入力された該バイオメトリクス情報から照合用バイオメトリクス特徴情報を抽出する抽出ステップと、
該抽出ステップにおいて抽出された該照合用バイオメトリクス特徴情報と参照用バイオメトリクス特徴情報とを比較・照合する照合ステップと、
該照合ステップにおける照合の結果、該照合用バイオメトリクス特徴情報が該所有者本人のものであると認識されると、その認証結果を保持する認証結果保持ステップと、
該認証結果保持ステップにおいて保持された該認証結果が、該照合用バイオメトリクス特徴情報が該所有者本人のものであることを示す場合に、該秘密情報を外部に出力可能な秘密情報出力ステップと、
該カード型記憶媒体が未使用状態であることを検出可能な未使用状態検出ステップと、
該カード型記憶媒体が未使用状態であることを該未使用状態検出ステップにおいて検出した時に、該認証結果保持ステップにおいて保持された該認証結果を削除する認証結果削除ステップとをそなえることを特徴とする、認証方法。
【発明の詳細な説明】
【技術分野】  本発明は、認証対象者がカード型記憶媒体の所有者であることを認証するために用いて好適な、電子記憶装置，認証装置および認証方法に関する。
【背景技術】  近年においては、例えば、接触型のＩＣカードがクレジットカードとして使用されたり、非接触型のＩＣカードが電車の定期券に使用されたりする等、接触式／非接触式を問わず種々の業種や分野においてＩＣカードの普及が進んでいる。このＩＣカードには、集積回路（ＩＣ：Ｉｎｔｅｇｒａｔｅｄ  Ｃｉｒｃｕｉｔ）が内蔵されており、磁気部に情報を記憶する方式の磁気カードと比較して、記憶可能なデータ容量が大きい，偽造が困難等の利点があり、更に、非接触型ＩＣカードでは非接触通信が可能である等の特徴がある。そして、種々の機能を実現するための回路をＩＣカード内に組み込むことにより、種々の機能をそなえたＩＣカードを実現することができるのである。
なお、非接触型のＩＣカードは、カード内にコイル状の非接触インターフェース用アンテナを埋設して構成され、ＩＣカードリーダの発信アンテナから発信される電波によって誘導起電力を発生させることにより、受信した電波を電気エネルギに変換してＩＣを駆動するようになっている。
このような従来のＩＣカードにおいては、一般にパスワード認証方式を用いてＩＣカードの利用者が正当な所有者である旨の認証を行なっている。すなわち、通常は、ＩＣカードのＩＣメモリに記憶された所有者の秘密情報（例えば、ＩＤ（Ｉｄｅｎｔｉｆｉｃａｔｉｏｎ）番号やパスワード等）にはアクセスできないようにしておき（プロテクト設定）、利用者がＩＣカードを使用する際に、この利用者に対してパスワードの入力を要求し、入力されたパスワードが予め設定されたパスワードと一致した場合に、そのＩＣカードの利用者がＩＣの所有者であると認証される。
そして、このようにしてＩＣカードの利用者がＩＣの所有者であると認証された場合にのみ、ＩＣカードにおいて、そのＩＣメモリに記憶された秘密情報がＩＣカードリーダから読み出し可能な状態に設定（プロテクトを解除）され、ＩＣカードリーダからの要求に従ってその秘密情報が送信されるのである。なお、以下、ＩＣカードのプロテクトを解除することを、ＩＣカードに認証結果を保持すると称する場合もある。
しかしながら、このような従来のＩＣカードのパスワード認証方式においては、人間自体を識別することができないという本質的なセキュリティの脆弱性を有している。すなわち、パスワード漏洩やパスワード解析等の不正な手法によって入手された正当なパスワードを用いて、いわゆる「なりすまし」が行なわれた場合には、不当な権限者によるＩＣカードの不正利用を阻止することが困難であるという課題がある。
そこで、ＩＣカードにおいても、身体の一部である指紋等のパターンを識別する照合技術であるバイオメトリクス認証を導入することにより、本人確認の認証強度を向上させることが望まれている。
しかしながら、接触式のＩＣカードについては、基本的にそのサイズが規格等によって定められているので、例えば、その厚さが所定の厚さ（例えば０．７８ｍｍ）以内となるように成形しなければ、既存のＩＣカードリーダやＩＣカードリーダ／ライタを使用することができない。このような接触型のＩＣカードに組み込み可能な回路や素子の大きさは限られており、現状においては、指紋認証等の複雑な機能をＩＣカード単体にそなえることは困難である。
また、非接触型のＩＣカード（以下、非接触型ＩＣカードという）についても、認証機能を実現するための回路部品を非接触インターフェース用アンテナの近傍に配置することにより、ノイズが発生してＩＣカードリーダとの間の通信が妨げられるおそれがあり、更に、カード内に多数のチップ等をそなえることにより、これらのチップの影響により起電力の発生が妨げられて、十分な起電力を得ることができなくなるおそれもあるので、このような非接触ＩＣカードにバイオメトリクス認証を実現するための回路をそなえることは非現実的である。
さらに、認証機能によってＩＣカードの所有者の認証を行なった後には、その認証結果を少なくともＩＣカードとＩＣカードリーダとの間の通信が開始されるまではＩＣカードに保持しておく（すなわち、ＩＣカードリーダを用いてＩＣカードから秘密情報を読み出すことが可能な状態にしておく）必要がある。
しかしながら、このような認証結果を保持された状態のＩＣカードからは、ＩＣカードリーダを用いて自由にその秘密情報を読みとることが可能なので、例えば、ＩＣカードに認証結果を保持した状態で、そのＩＣカードを紛失した場合には、そのＩＣカードを取得した者によって使用されてしまうおそれがあり、ＩＣカードの認証結果をＩＣカードに長時間保持しておくことは、ＩＣカードのセキュリティの脆弱性を高めるという課題がある。
なお、ＩＣカードにタイマ機能をそなえ、所定時間経過後にＩＣカードに設定された認証結果を削除することも考えられるが、このタイマの設定値を最適な値に設定することが難しいという課題がある。すなわち、タイマの設定値が短すぎると、ＩＣカードがＩＣカードリーダと通信を開始する前に認証結果が削除されて、ＩＣカードを使用することができなくなり、又、タイマの設定値が長すぎると、タイマを設定しない場合と同様にセキュリティが低下する等、ユーザにとって非常に使い難いものになるおそれがある。
本発明は、このような課題に鑑み創案されたもので、カード型記憶媒体のセキュリティ強度を高めるとともに、使用者にとって使い易い、電子記憶装置，認証装置および認証方法を提供することを目的とする。
【発明の開示】
上記の目的を達成するために、本発明の電子記憶装置は、所有者についての秘密情報を記憶する秘密情報記憶部と、認証対象者のバイオメトリクス情報を入力するバイオメトリクス情報入力部と、このバイオメトリクス情報入力部より入力されたバイオメトリクス情報から照合用バイオメトリクス特徴情報を抽出する抽出部と、この抽出部によって抽出された照合用バイオメトリクス特徴情報と参照用バイオメトリクス特徴情報とを比較・照合する照合部と、この照合部による照合の結果、照合用バイオメトリクス特徴情報が所有者本人のものであると認識されると、その認証結果を保持する認証結果保持部と、秘密情報記憶部に記憶された秘密情報を外部に出力可能な秘密情報出力部と、認証結果保持部に保持された認証結果が、照合用バイオメトリクス特徴情報が所有者本人のものであることを示す場合に、秘密情報出力部に秘密情報記憶部に記憶された秘密情報を出力させる通信制御部と、秘密情報出力部が未使用状態であることを検出可能な未使用状態検出部と、秘密情報出力部が未使用状態であることを未使用状態検出部が検出した時に、認証結果保持部に保持された認証結果を削除する認証結果削除部とをそなえることを特徴としている。
なお、秘密情報出力部が、接触型端子をそなえて構成され、秘密情報をこの電子記憶装置の外部に対して接触型端子を介して出力可能であってもよく、又、秘密情報出力部が、非接触型通信機能をそなえて構成され、秘密情報をこの電子記憶装置の外部に対して非接触型通信機能により出力可能であってもよい。
また、少なくとも秘密情報出力部がカード形状を有するカード部にそなえられるとともに、少なくともバイオメトリクス情報入力部が、カード部と通信可能に接続された本体部にそなえられてもよく、又、カード部の一端部と本体部とが蝶番を介して連結されることにより、本体部に対してカード部が折りたたみ可能に取り付けされ、未使用状態検出部が、カード部が折りたたまれたことを検出することにより、カード部が未使用状態であることを検出してもよい。
さらに、カード部が本体部に対して脱着可能に構成されるとともに、未使用状態検出部が、照合部により照合用バイオメトリクス特徴情報が所有者本人のものであると認識された後に、カード部が本体部から取り外され、再度、この本体部に取り付けられたことを検出することにより、カード部が未使用状態であることを検出してもよい。なお、カード部が本体部に対して挿入可能に構成されてもよい。
また、本発明の認証装置は、所有者の秘密情報を記憶する秘密情報記憶部と、秘密情報の出力を許可する旨の出力許可を保持可能な出力許可保持部と、秘密情報記憶部に記憶された秘密情報を外部に出力可能な秘密情報出力部と、出力許可保持部に出力許可が保持されている場合に、秘密情報出力部に秘密情報記憶部に記憶された秘密情報を出力させる通信制御部とをそなえてなるカード型記憶媒体を取り付け可能であり、認証対象者が前記カード型記憶媒体の所有者であることを認証する認証装置であって、カード型記憶媒体を脱着可能に取り付けられるカード型記憶媒体取付部と、認証対象者のバイオメトリクス情報を入力するバイオメトリクス情報入力部と、このバイオメトリクス情報入力部より入力されたバイオメトリクス情報から照合用バイオメトリクス特徴情報を抽出する抽出部と、この抽出部によって抽出された照合用バイオメトリクス特徴情報と参照用バイオメトリクス特徴情報とを比較・照合する照合部と、この照合部による照合の結果、照合用バイオメトリクス特徴情報が所有者本人のものであると認識された場合に、カード型記憶媒体の出力許可保持部に出力許可を保持させる出力許可設定部と、カード型記憶媒体が未使用状態であることを検出可能な未使用状態検出部と、カード型記憶媒体が未使用状態であることを未使用状態検出部が検出した時に、出力許可保持部に保持された出力許可を削除する認証結果削除部とをそなえることを特徴としている。
なお、未使用状態検出部が、照合部により照合用バイオメトリクス特徴情報が所有者本人のものであると認識された後に、カード型記憶媒体がカード型記憶媒体取付部から取り外され、再度、このカード型記憶媒体取付部に取り付けられたことを検出することにより、カード型記憶媒体が未使用状態であることを検出してもよく、又、通信部がカード型記憶媒体取付部に対して挿入可能に構成されてもよい。
また、本発明の認証方法は、認証対象者が秘密情報を記憶するカード型記憶媒体の所有者であることを認証する認証方法であって、認証対象者のバイオメトリクス情報を入力するバイオメトリクス情報入力ステップと、バイオメトリクス情報入力ステップにおいて入力されたバイオメトリクス情報から照合用バイオメトリクス特徴情報を抽出する抽出ステップと、この抽出ステップにおいて抽出された照合用バイオメトリクス特徴情報と参照用バイオメトリクス特徴情報とを比較・照合する照合ステップと、この照合ステップにおける照合の結果、照合用バイオメトリクス特徴情報が所有者本人のものであると認識されると、その認証結果を保持する認証結果保持ステップと、この認証結果保持ステップにおいて保持された認証結果が、照合用バイオメトリクス特徴情報が所有者本人のものであることを示す場合に、秘密情報を外部に出力可能な秘密情報出力ステップと、カード型記憶媒体が未使用状態であることを検出可能な未使用状態検出ステップと、カード型記憶媒体が未使用状態であることを未使用状態検出ステップにおいて検出した時に、認証結果保持ステップにおいて保持された認証結果を削除する認証結果削除ステップとをそなえることを特徴としている。
このように、本発明の電子記憶装置，認証装置および認証方法によれば、以下の効果ないし利点がある。
（１）認証対象者のバイオメトリクス情報を入力して抽出した照合用バイオメトリクス特徴情報と参照用バイオメトリクス特徴情報とを比較・照合し、その照合結果において、照合用バイオメトリクス特徴情報が所有者本人のものであると認識されると、その認証結果を保持するとともに、秘密情報を外部に出力するので、照合用バイオメトリクス特徴情報が所有者本人のものであると認識された場合にのみ秘密情報が出力されるので、本人確認の認証強度を向上させ、所有者以外による「なりすまし」を防止することができ、不当な権限者によるＩＣカードの不正利用を阻止してセキュリティ強度を上げることができる。
（２）カード型記憶媒体が未使用状態であることを検出した時に、保持された認証結果を削除することにより、本電子記憶装置を紛失した場合等においても、その電子記憶装置を取得した第三者が使用することができず、これによってもセキュリティを高めることができる。
（３）秘密情報を電子記憶装置の外部に対して接触型端子を介して出力することにより、確実に秘密情報を出力することができる。
（４）秘密情報を電子記憶装置の外部に対して非接触型通信機能により出力することにより、外部との間で容易に通信することができる。
（５）少なくとも秘密情報出力部をカード形状を有するカード部にそなえるとともに、少なくともバイオメトリクス情報入力部を、カード部と通信可能に接続された本体部にそなえることにより、本体部を用いてバイオメトリクス情報の入力を行なうとともに、カード部を用いて外部と通信することができ、利便性が高い。
（６）カード部の一端部と本体部とが蝶番を介して連結することにより、本体部に対してカード部を折りたたみ可能に取り付け、カード部が折りたたまれたことを検出することによって、カード部が未使用状態であることを検出することにより、簡単な構成でカード部の未使用状態を容易にかつ確実に認識することができる。
（７）カード部を本体部に対して脱着可能に構成するとともに、照合用バイオメトリクス特徴情報が所有者本人のものであると認識された後に、カード部が本体部から取り外され、再度、この本体部に取り付けられたことを検出することによっても、簡単な構成で、カード部の未使用状態を容易にかつ確実に認識することができる。
（８）カード部を本体部に対して挿入可能に構成することにより、本装置を簡単に構成することができる。
【図面の簡単な説明】  図１は本発明の第１実施形態としての認証機能付きＩＣカード装置（電子記憶装置）の機能構成を示すブロック図である。
図２は本発明の第１実施形態としての認証機能付きＩＣカード装置の外観を模式的に示す斜視図である。
図３は本発明の第１実施形態としての認証機能付きＩＣカード装置の外観を模式的に示す斜視図である。
図４は本発明の第１実施形態としての認証機能付きＩＣカード装置を展開した状態で、その指紋センサが配設された側の面から示す平面図である。
図５は本発明の第１実施形態としての認証機能付きＩＣカード装置におけるスプリング機構の構成を模式的に示す図である。
図６は本発明の第１実施形態としての認証機能付きＩＣカード装置におけるスプリング機構の構成を模式的に示す図である。
図７は本発明の第１実施形態としての認証機能付きＩＣカード装置の蝶番およびロック機構の構成を模式的に示す斜視図である。
図８は本発明の第１実施形態としての認証機能付きＩＣカード装置の蝶番およびロック機構を部分的に破断して示す側断面図である。
図９は本発明の第１実施形態としての認証機能付きＩＣカード装置のロック機構を示す斜視図である。
図１０は本発明の第１実施形態としての認証機能付きＩＣカード装置による利用者（認証対象者）の認証処理を説明するためのフローチャートである。
図１１は本発明の第１実施形態としての認証機能付きＩＣカード装置における、利用者（認証対象者）の他の認証処理を説明するためのフローチャートである。
図１２は本発明の第２実施形態としての認証機能付きＩＣカード装置（電子記憶装置）の機能構成を示すブロック図である。
図１３は本発明の第２実施形態としての認証機能付きＩＣカード装置の外観を模式的に示す斜視図である。
図１４は本発明の他の変形例としての認証機能付きＩＣカード装置（認証装置）の構成を模式的に示す斜視図である。〜である。
【発明を実施するための最良の形態】  以下、図面を参照して本発明の実施の形態を説明する。
（Ａ）第１実施形態の説明
図１は本発明の第１実施形態としての認証機能付きＩＣカード装置（電子記憶装置）の機能構成を示すブロック図、図２はおよび図３はその外観を模式的に示す斜視図である。なお、図２は本認証機能付きＩＣカード装置１ａを開いた（使用時の）状態を示すものであり、図３はその閉じた（未使用時の）状態を示すものである。
本第１実施形態の認証機能付きＩＣカード装置１ａは、認証対象者のバイオメトリクス情報を用いて、認証対象者がその認証機能付きＩＣカード装置１ａの所有者であることを認証する認証機能をそなえたＩＣカード（カード型記憶媒体）であり、認証対象者がその認証機能付きＩＣカード装置１ａの所有者であると認証された場合に、ＩＣカードリーダ（図示省略）を用いて、その秘密情報記憶部１２（後述）に記憶された秘密情報（ログインＩＤ（Ｉｄｅｎｔｉｆｉｃａｔｉｏｎ）やパスワード）を出力することができるものである。
本認証機能付きＩＣカード装置１ａは、図１に示すように、バイオメトリクス情報入力部４，抽出部５，参照用バイオメトリクス特徴情報記憶部６，照合部７，認証結果保持部８，認証結果削除部９，通信制御部１０，未使用状態検出部１１，秘密情報記憶部１２および秘密情報出力部１３をそなえて構成されている。
また、本実施形態においては、バイオメトリクス情報入力部４，抽出部５，参照用バイオメトリクス特徴情報記憶部６，照合部７，認証結果保持部８，認証結果削除部９，通信制御部１０および未使用状態検出部１１が本体部２ａにそなえられ、又、秘密情報記憶部１２および秘密情報出力部１３がカード部３ａにそなえられている。又、本体部２ａとカード部３ａとは蝶番１７を介して開閉可能に接続されている（図２，図３参照；詳細は後述）。
なお、本体部２ａにそなえられた各部とカード部３ａにそなえられた各部とは、例えば、ＦＰＣ（Ｆｌｅｘｉｂｌｅ  Ｐｒｉｎｔｅｄ  Ｃｉｒｃｕｉｔｓ；フレキシブルプリント配線板）結線によって接続されている。
カード部３ａは、従来のＩＣカードと同一もしくはほぼ同一の形状（カード形状）を有している。又、このカード部３ａは、従来のＩＣカードと同様の通信機能をそなえていて、既存のＩＣカードリーダやＩＣカードリーダ／ライタを用いて、秘密情報記憶部１２に記憶された秘密情報を秘密情報出力部１３を介して出力したり、又、ＩＣカードリーダ／ライタを用いて、図示しないメモリ等に書き込んだりすることができるようになっている。すなわち、カード部３ａにおいては、カードの大きさや通信規格（プロトコル）において、既存のＩＣカードに関する規格を満たしている。
秘密情報記憶部１２は、本認証機能付きＩＣカード装置１ａの所有者についての秘密情報（暗証コード）を予め保存するものである。この秘密情報として保存される暗証コードは、例えば、ログインＩＤ等のＩＤ（Ｉｄｅｎｔｉｆｉｃａｔｉｏｎ）情報やパスワード，暗証番号，秘密鍵等を含むものである。
秘密情報出力部１３は、秘密情報記憶部１２に記憶された秘密情報を外部に出力するものであって、例えば、ＩＣリーダ（図示省略）と通信するための端子（接触型端子）やコイルアンテナ（非接触型通信機能）として構成される。本認証機能付きＩＣカード装置１ａにおいては、図２に示すように、秘密情報出力部１３として接触型端子として構成された通信端子３１が用いられている。
バイオメトリクス情報入力部４は、認証対象者（利用者）のバイオメトリクス情報（生体情報）を入力（採取）するものである。本実施形態においては、バイオメトリクス情報入力部４は、バイオメトリクス情報としての指紋を画像データとして採取する指紋入力装置（指紋センサ４１；図２参照）によって実現されている。
抽出部５は、バイオメトリクス情報入力部４により入力されたバイオメトリクス情報から照合用バイオメトリクス特徴情報を抽出するものである。又、参照用バイオメトリクス特徴情報記憶部６は、本認証機能付きＩＣカード装置１ａの所有者についての参照用バイオメトリクス特徴情報を予め記憶（保存）するものである。
照合部７は、抽出部５により抽出された照合用バイオメトリクス特徴情報と参照用バイオメトリクス特徴情報記憶部６に記憶された参照用バイオメトリクス特徴情報とを比較・照合するものである。
認証結果保持部８は、照合部７による照合の結果、照合用バイオメトリクス特徴情報が所有者本人のものであると認識されると、その認証結果を保持するものであり、具体的には、照合用バイオメトリクス特徴情報が所有者本人のものである旨を示すフラグが設定されるようになっている。
認証結果削除部９は、秘密情報出力部１３が未使用状態であることを未使用状態検出部１１が検出した時に、認証結果保持部８に保持された認証結果を削除するものであり、具体的には、認証結果保持部８に設定されたフラグを解除するようになっている。
通信制御部１０は、認証結果保持部８に保持された認証結果が、照合用バイオメトリクス特徴情報が所有者本人のものであることを示す場合に、秘密情報出力部１３に秘密情報記憶部１２に記憶された秘密情報を出力させるものである。すなわち、通信制御部１０は、認証結果保持部８に、照合用バイオメトリクス特徴情報が所有者本人のものであることを示すフラグが設定されている場合に、秘密情報出力部１３に秘密情報記憶部１２に記憶された暗証コードを出力させるように制御するようになっている。
そして、本認証機能付きＩＣカード装置１ａにおいては、照合用バイオメトリクス特徴情報と参照用バイオメトリクス特徴情報とを照合部７により照合した結果、抽出部５で抽出された照合用バイオメトリクス特徴情報が所有者本人のものであると認証されると、認証結果保持部８にその旨を示すフラグが設定され、通信制御部１０が、秘密情報出力部１３に対して、秘密情報記憶部１２に記憶された暗証コード（秘密情報）を出力させるように送信許可を行なう（制御する）ようになっている。
未使用状態検出部１１は、秘密情報出力部１３（カード部３ａ）が未使用状態であることを検出するものである。本第１実施形態においては、未使用状態検出部１１は、カード部３ａと本体部２ａとが閉じられたことを検出することにより、秘密情報出力部１３（カード部３ａ）が未使用状態となったことを検出するようになっている。
本第１実施形態においては、後述する折りたたみ検知部１８（図２参照）によって、カード部３ａと本体部２ａとが閉じられたことを検知し、これにより、秘密情報出力部１３（カード部３ａ）が未使用状態となったことを検出するようになっている。なお、かかる未使用状態検出部１１は、これに限定されるものではなく、例えば、後述するロック機構１５（図５参照）が解除されたことを検出することによって、カード部３ａと本体部２ａとが閉じられたことを検出してもよく、本発明の趣旨を逸脱しない範囲で種々変形して実施することができる。
認証結果削除部９は、秘密情報出力部１３（カード部３ａ）が未使用状態であることを未使用状態検出部１１が検出した時に、認証結果保持部８に保持された認証結果を削除するものである。具体的には、この認証結果削除部９は、認証結果保持部８に保持された、照合用バイオメトリクス特徴情報が所有者本人のものである旨を示すフラグを削除（フラグを解除）するようになっている。
そして、本認証機能付きＩＣカード装置１ａにおいては、このようにして、認証結果保持部８に設定されたフラグが削除されることにより、秘密情報出力部１３は秘密情報記憶部１２に記憶された暗証コード（秘密情報）を出力することができないようになっている。
なお、本認証機能付きＩＣカード装置１ａは、例えばＣＰＵ（Ｃｅｎｔｒａｌ  Ｐｒｏｃｅｓｓｉｎｇ  Ｕｎｉｔ：中央処理装置），ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）等をバスラインにより相互に接続して構成されるもので、この場合、バイオメトリクス情報入力部４，抽出部５，照合部７，認証結果削除部９，通信制御部１０および未使用状態検出部１１としての機能はＣＰＵにより実現することができ、参照用バイオメトリクス特徴情報記憶部６，認証結果保持部８および秘密情報記憶部１２としての機能はＲＯＭやＲＡＭにより実現することができ、秘密情報出力部１３としての機能は後述する通信端子３１や通信アンテナにより実現することができる。
次に、本発明の第１実施形態としての認証機能付きＩＣカード装置１ａの構造を図２〜図９を用いて説明する。図４は本認証機能付きＩＣカード装置１ａを展開した状態で、その指紋センサ４１が配設された側の面から示す平面図、図５および図６はそのスプリング機構の構成を模式的に示す図である。なお、図５はカード部３ａと本体部２ａとを閉じた状態を示す図、図６はカード部３ａと本体部２ａとを開いた状態を示す図である。
本認証機能付きＩＣカード装置１ａは、図２および図３に示すように、指紋センサ４１をそなえた本体部２ａと、通信端子３１をそなえたカード部３ａとをそなえて構成され、前述したように本体部２ａとカード部３ａとを蝶番１７を介して開閉可能に接続している。具体的には、カード部３ａにおける通信端子３１が形成された面の一辺が、本体部２ａにおける指紋センサ４１が形成された面の一辺に蝶番１７を介して枢設され、蝶番１７を閉じることにより、本体部２ａにおける指紋センサ４１が形成された面を、カード部３ａにおける通信端子３１が形成された面を重合させて覆ったり（図３参照）、蝶番１７を開くことにより、カード部３ａと本体部２ａとがほぼ同一平面を構成するように展開したり（図２参照）することができるようになっている。
そして、利用者が本体部２ａにそなえられた指紋センサ４１を使用する際には、蝶番１７を展開することにより、図２に示すように、指紋センサ４１が形成された面が現われ使用可能な状態になるようになっている。
さらに、蝶番１７の両端部分には、図４に示すように、それぞれスプリング機構１４がそなえられている。このスプリング機構１４は、ねじりコイルばね１４１をそなえて構成され、このねじりコイルばね１４１の一方の腕１４１ａが本体部２ａに埋設されるとともに、その他方の腕１４１ｂがカード部３ａに埋設されており、カード部３ａと本体部２ａとを閉じた状態にしようとするモーメントをカード部３ａに対してかけるようになっている。
すなわち、図５に示すように、カード部３ａが本体部２ａに対して閉じた状態になっている場合には、ねじりコイルばね１４１にはねじりの荷重がかかっておらず、図６に示すように、カード部３ａが本体部２ａに対して開いた状態になっている場合には、ねじりコイルばね１４１にねじりの荷重がかかるようになっていて、カード部３ａが開いている状態で、このカード部３ａを閉じようとするモーメントを働かせるようになっている。
また、本認証機能付きＩＣカード装置１ａは、カード部３ａと本体部２ａとを開いた状態において、これらのカード部３ａと本体部２ａとが閉じないように、展開された状態で固定するロック機構１５をそなえている。
図７は本発明の第１実施形態としての認証機能付きＩＣカード装置１ａの蝶番１７およびロック機構１５の構成を模式的に示す斜視図、図８はその蝶番１７およびロック機構１５を部分的に破断して示す側断面図、図９はそのロック機構１５を示す斜視図である。
ロック機構１５は、図７〜図９に示すように、ロック爪１５ａ，ロック穴１５ｂ，１５ｃおよびバネ１５ｄをそなえて構成されている。ロック爪１５ａは、図８に示すように、斜辺が膨らんだ弧を描くように形成された直角三角形を断面形状とする三角柱として構成され、その弧状に形成された面（弧面）１５１ａを、本体部２ａにおける指紋センサ４１が形成された面とは反対側を向けた状態で、且つ、その直角三角形の一方の頂点によって形成される辺がロック穴１５ｂに対向するように配設されている。
また、図７や図８に示すように、このロック爪１５ａにおけるロック穴１５ｂとは反対側の面１５２ａには、このロック爪１５ａをロック穴１５ｂに向かって押し付けるようにバネ１５ｄが配設されている。
ロック穴１５ｂは、カード部３ａと本体部２ａとを展開した状態でロック爪１５ａが係合するための穴であって、本体部２ａにおける一方の壁面（カード部３ａと本体部２ａとを展開した時にカード部３ａの端面が当接する側の面）に開口するように形成されている。このロック穴１５ｂは、その幅方向（図７，図８中における奥行き方向）の長さが、ロック爪１５ａの同方向の長さよりも若干長く、又、その高さ方向（図７，図８中における上下方向）の長さが、ロック爪１５ａの同方向長さよりも若干短くなっており、バネ１５ｄによって押し付けられたロック爪１５ａがその弧面１５１ａの途中でロック穴１５ｂに当接するようになっている。
これにより、ロック爪１５ａがバネ１５ｄによってロック穴１５ｂに押し付けられた際には、ロック爪１５ａの弧面１５１ａの途中でロック穴１５ｂに嵌合して、ロック爪１５ａの先端部分だけがロック穴１５ｂから突出するようになっており、ロック爪１５ａがロック穴１５ｂから完全に抜け出すことがないようになっている。
ロック穴１５ｃも、ロック穴１５ｂと同様に、カード部３ａと本体部２ａとを展開した状態でロック爪１５ａが係合する穴であって、カード部３ａにおける一方の壁面（カード部３ａと本体部２ａとを展開した時に本体部２ａの端面が当接する側の面）に開口するように形成されている。このロック穴１５ｃも、その幅方向（図７，図８中における奥行き方向）の長さが、ロック爪１５ａの同方向の長さよりも若干長く、又、その高さ方向（図７，図８中における上下方向）の長さが、ロック爪１５ａの同方向長さよりも若干短くなっており、バネ１５ｄによって押し付けられたロック爪１５ａがその弧面１５１ａの途中でロック穴１５ｃに当接するようになっている。
これにより、ロック爪１５ａがバネ１５ｄによってロック穴１５ｃに押し付けられた際には、ロック爪１５ａの弧面１５１ａの途中でロック穴１５ｃに嵌合して、ロック爪１５ａの先端部分だけがロック穴１５ｃからカード部３ａ内に突入するようになっており、ロック爪１５ａがロック穴１５ｃから完全に抜け出すことがないようになっている。
そして、カード部３ａと本体部２ａとを展開すると、図８に示すように、ロック爪１５ａがバネ１５ｄによってロック穴１５ｂ，１５ｃに押し込まれ、これにより、ロック爪１５ａがロック穴１５ｂ，１５ｃに係合し、カード部３ａと本体部２ａとが展開した状態で固定されるようになっている（図８参照）。
また、カード部３ａと本体部２ａとを展開した状態においては、ロック爪１５ａはバネ１５ｄによってロック穴１５ｂ，１５ｃに向かって押し付けられているが、カード部３ａと本体部２ａとをたたむ方向に所定以上の荷重がかけられると、ロック穴１５ｃにおけるロック爪１５ａの弧面１５１ａに当接している面がロック爪１５１ａを押圧し、これにより、ロック爪１５ａがバネ１５ｄを縮める方向に移動させられて、ロック爪１５ａがロック穴１５ｃから外れるようになっている。
なお、ロック機構１５によってロックされたカード部３ａと本体部２ａとを折りたたむために要する力は、バネ１５ｄの種々の係数（例えば、バネ定数，サイズ等）やロック爪１５ａの弧面１５１ａの曲率等を種々変形することによって調整することができる。又、カード部３ａと本体部２ａとをたたんだ状態では、ロック爪１５ａをバネ１５ｄに対抗して本体部２ａ内に戻すような機構をそなえてもよい。
また、本認証機能付きＩＣカード装置１ａは、カード部３ａと本体部２ａとを閉じた状態において、これらのカード部３ａと本体部２ａとが離れないように保持するホールド機構１６をそなえている。本実施形態においては、図４に示すように、カード部３ａと本体部２ａとを閉じた状態において互いに重なり合うような位置に配設された一対の永久磁石１６ａ，１６ｂによってホールド機構１６が構成されている。なお、かかるホールド機構１６は、このような一対の永久磁石１６ａ，１６ｂに限定されるものではなく、種々変形して実施することができる。
折りたたみ検知部１８は、カード部３ａと本体部２ａとが、開かれたり閉じられたりしたことをそれぞれ検知するものであって、本体部２ａにおける指紋センサ４１が形成された面、もしくはカード部３ａにおける通信端子３１が形成された面に進退自在に突出するように形成した突起部１８ａと、この突起部１８ａが押下されたことや突出したことを検出するセンサ部（図示省略）とをそなえて構成されている。
突起部１８ａは、図示しないバネによって本体部２ａにおける指紋センサ４１が形成された面から突出するように付勢されており、又、カード部３ａと本体部２ａとが閉じられた場合に、カード部３ａの通信端子３１が形成された面によって押下されるようになっている。そして、この突起部１８ａが押下されたこと（もしくはカード部３ａから解放されて突起部１８ａが突出したこと）をセンサ部が検知し、ＣＰＵに通知するようになっている。
また、本認証機能付きＩＣカード装置１ａにおいては、カード部３ａと本体部２ａとを展開すること、すなわち、折りたたみ検知部１８の突起部１８ａが突出したことをきっかけに本認証機能付きＩＣカード装置１ａの電源が入るようになっていて、これにより、指紋センサ４１や図示しないＣＰＵ等に電力が供給されるようになっている。又、カード部３ａと本体部２ａとを閉じること、すなわち、折りたたみ検知部１８の突起部１８ａが押下されたことをきっかけに、本認証機能付きＩＣカード装置１ａの電源が切れるようになっていて、これにより、指紋センサ４１や図示しないＣＰＵ等に対する給電が遮断されるようになっている。
なお、前述した認証結果削除部９は、ＣＰＵ等への給電が遮断される前に認証結果保持部８に保持された認証結果を削除するようになっている。
さらに、本認証機能付きＩＣカード装置１ａには、照合部７によって、認証対象者が本認証機能付きＩＣカード装置１ａの所有者であると認証された場合に、その旨を利用者に通知する通知部をそなえている。この通知部は、例えば、ＬＥＤや液晶モニタ等によって実現され、認証されたことを利用者に対して通知するようになっている。なお、かかる通知部は、ＬＥＤや液晶モニタ等の視覚によって利用者に通知することに限定されるものではなく、例えば、音（音声）のように聴覚や触覚等の他の感覚を用いた手法によって利用者に対して通知してもよく、本発明の趣旨を逸脱しない範囲で種々変形して実施することができる。
上述の如く構成された本発明の第１実施形態としての認証機能付きＩＣカード装置１ａによる利用者（認証対象者）の認証処理を、図１０に示すフローチャート（ステップＡ１０〜Ａ６０）に従って説明する。
利用者が、認証機能付きＩＣカード装置１ａのカード部３ａを開くと（ステップＡ１０）、本体部２ａにそなえられている指紋センサ４１やＣＰＵ等に給電され、指紋認証を行なうことが可能となる。
利用者が、指紋センサ４１に指を当てると、この指紋センサ（バイオメトリクス情報入力部４）４１がその指紋を読み取り（バイオメトリクス情報入力ステップ）、ＣＰＵ（抽出部５）が、その読みとった指紋の画像データに基づいて、特徴点等の照合用バイオメトリクス特徴情報を抽出する（抽出ステップ）。そして、ＣＰＵ（照合部７）は、抽出した参照用バイオメトリクス特徴情報と、ＲＡＭ（参照用バイオメトリクス特徴情報記憶部６）に記憶された参照用バイオメトリクス特徴情報とを比較・照合して（ステップＡ２０；照合ステップ）、照合用バイオメトリクス特徴情報が所有者本人のものであるか否か（本人認証）を判断する（ステップＡ３０）。
この本人認証の結果、入力された指紋が本認証機能付きＩＣカード装置１ａの所有者本人のものであると認証された場合には（ステップＡ３０のＹＥＳルート参照）、ＲＡＭ（認証結果保持部８）に、入力された指紋が本認証機能付きＩＣカード装置１ａの所有者本人のものである旨を示すフラグが設定される（認証結果保持ステップ）。又、利用者に対して、認証された旨の通知が行なわれる。
そして、利用者は、ＩＣカードリーダに本認証機能付きＩＣカード装置１ａのカード部３ａを挿入し、ＣＰＵ（通信制御部１０）は、ＩＣカードリーダからの要求に応じて、ＲＡＭ（秘密情報記憶部１２）に記憶されている暗証コードを出力する（ステップＡ４０；秘密情報出力ステップ）。
一方、本人認証の結果、入力された指紋が本認証機能付きＩＣカード装置１ａの所有者本人のものではないと判断された場合には（ステップＡ３０のＮＯルート参照）、エラー通知等を行なってステップＡ２０に戻る。
利用者は、本認証機能付きＩＣカード装置１ａを使用した後には、そのカード部３ａをたたんで格納する（ステップＡ５０）。ＣＰＵ（未使用状態検出部１１）は、カード部３ａがたたまれたことを検出することにより、カード部３ａ（通信端子３１）が未使用状態になったことを検出し（未使用状態検出ステップ）、ＣＰＵ（認証結果削除部９）は、ＲＡＭに保持された認証結果のフラグを削除する（ステップＡ６０；認証結果削除ステップ）。その後、本認証機能付きＩＣカード装置１ａの電源が遮断される。
本認証機能付きＩＣカード装置１ａにおいては、カード部３ａが折りたたまれたことが未使用状態検出部１１によって検知されるまでは、認証結果保持部８に保持された認証結果のフラグは削除されないので、指紋認証が行なわれてからカード部３ａが折りたたまれるまでの間に、ＩＣカードリーダからの要求に応じて複数の処理を行なうことができる。
図１１は本発明の第１実施形態としての認証機能付きＩＣカード装置１ａにおける、利用者（認証対象者）の他の認証処理を説明するためのフローチャート（ステップＡ１０〜Ａ６０）である。なお、この図１１に示すフローチャートは、図１０に示すフローチャートにおけるステップＡ４０に代えてステップＡ４１，Ａ４２およびＡ４３をそなえるものであり、図中の既述のステップと同一のステップは同一もしくは略同一の部分を示しているので、その詳細な説明は省略する。
すなわち、ＩＣリーダからの第１の暗証コードの要求に応じて、認証機能付きＩＣカード装置１ａから暗証コードを送信した後（ステップＡ４１）、第２，第３の暗証コードの要求に対しても、同様に、利用者は指紋認証を行なうことなく暗証コードの送信を行なうことができ（ステップＡ４２，Ａ４３）、利用者は本認証機能付きＩＣカード装置１ａを開いてから１度だけ指紋認証を行なうだけで、本認証機能付きＩＣカード装置１ａを複数の用途に使用することができ利便性が高い。
このように、本発明の第１実施形態としての認証機能付きＩＣカード装置１ａによれば、ＩＣカード（カード部３ａ）に指紋認証機能がそなえられているので、利用者（認証対象者）が、本認証機能付きＩＣカード装置１ａの所有者であることをバイオメトリクス情報（指紋情報）に基づいて認証することができ、本人確認の認証強度を向上させ、所有者以外による「なりすまし」を防止して、不当な権限者によるＩＣカードの不正利用を阻止してセキュリティ強度を上げることができる。
また、従来のＩＣカードと同一もしくはほぼ同一の形状（カード形状）をそなえ、カードの大きさや通信規格において、既存のＩＣカードに関する規格を満たしている通信端子３１をそなえたカード部３ａと、指紋センサ４１をそなえた本体部２ａとをそなえているので、本体部２ａを用いてバイオメトリクス情報の入力を行なうとともに、カード部３ａを用いて外部と通信することができ、利便性が高い。
すなわち、カード部３ａにより、既存のＩＣカードリーダやＩＣカードリーダ／ライタを用いて、秘密情報記憶部１２に記憶された秘密情報を秘密情報出力部１３を介してＩＣカードリーダやＩＣカードリーダ／ライタに出力したり、又、ＩＣカードリーダ／ライタを用いて図示しないメモリ等に書き込んだりすることができ、既存のＩＣカードリーダ・ライタをそのまま利用して、そのセキュリティ強度を上げることができ経済的である。
さらに、カード部３ａと本体部２ａとが折りたたまれたこと（すなわち、通信端子３１が未使用状態であること）を折りたたみ検知部１８によって検知した時に、カード部３ａの未使用状態を検知し、ＲＡＭ（認証結果保持部８）に保持されたフラグ（認証結果）を削除することにより、簡単な構成でカード部３ａの未使用状態を容易にかつ確実に認識することができ、又、本認証機能付きＩＣカード装置１ａを折りたたんだ状態で、例えば、本認証機能付きＩＣカード装置１ａを紛失した場合等においても、その認証機能付きＩＣカード装置１ａを取得した第三者が使用することができず、セキュリティ強度を高めることができる。
また、ＩＣカード形状を有するカード部３ａの一端部と、指紋認証機能をそなえた本体部２ａとを蝶番１７を介して連結することにより、本体部２ａに対してカード部３ａを折りたたみ可能に取り付けることができ、未使用時における本認証機能付きＩＣカード装置１ａの大きさを小さく構成することができるので、利用者が携帯し易くなり利便性が向上する。又、このような構成により、折りたたみ検知部１８を用いることにより、本体部２ａとカード部３ａとが折りたたまれたことを容易に検知することもできる。
さらに、暗証コードを本認証機能付きＩＣカード装置１ａの外部に対して接触型端子である通信端子３１を介して出力することにより、確実に暗証コードを出力することができる。
（Ｂ）第２実施形態の説明
図１２は本発明の第２実施形態としての認証機能付きＩＣカード装置（電子記憶装置）の機能構成を示すブロック図、図１３はその外観を模式的に示す斜視図である。
本第２実施形態の認証機能付きＩＣカード装置１ｂも、第１実施形態の認証機能付きＩＣカード装置１ａと同様に、認証対象者のバイオメトリクス情報を用いて、認証対象者がその認証機能付きＩＣカード装置１ｂの所有者であることを認証する認証機能をそなえたＩＣカード（カード型記憶媒体）であり、認証対象者がその認証機能付きＩＣカード装置１ｂの所有者であると認証された場合に、ＩＣカードリーダ（図示省略）を用いて、そのＲＡＭ（秘密情報記憶部１２）に記憶された秘密情報（ログインＩＤ（Ｉｄｅｎｔｉｆｉｃａｔｉｏｎ）やパスワード）を出力することができるものである。
この本第２実施形態の認証機能付きＩＣカード装置１ｂは、図１２に示すように、カード部３ｂが通信制御部１０をそなえる一方、本体部２ｂが出力許可設定部２０をそなえ、更に、認証結果保持部８に代えてカード部３ｂに出力許可保持部１９がそなえられている他は、第１実施形態の認証機能付きＩＣカード装置１ａと同様の機能構成をそなえるものである。なお、図中、既述の符号と同一の符号は同一もしくは略同一の部分を示しているので、その説明は省略する。
出力許可保持部１９は、秘密情報記憶部１２に記憶された秘密情報の出力を許可する旨の出力許可を保持するものであって、例えばＩＣメモリによって実現される。具体的には、後述する出力許可設定部２０によって、出力許可を示すフラグをカード部３ｂのＩＣメモリに設定することによって実現される。
本認証機能付きＩＣカード装置１ｂにおいては、照合部７による照合の結果、照合用バイオメトリクス特徴情報が所有者本人のものであると認識されると、出力許可設定部２０によって、その認証結果が出力許可として出力許可保持部１９に設定されるようになっている。すなわち、本第２実施形態の認証機能付きＩＣカード装置１ｂにおいては、この出力許可保持部１９が、第１実施形態における認証結果保持部と同様の機能をそなえるものである。
そして、本第２実施形態においては、通信制御部１０は、出力許可保持部１９に出力許可が保持されている場合に、秘密情報出力部１３に秘密情報記憶部１２に記憶された秘密情報を出力させるように制御するようになっている。
本認証機能付きＩＣカード装置１ｂにおいては、通信制御部１０としての機能は、ＩＣカード（カード部３ｂ）のＩＣモジュール（図示省略）にそなえられたＣＰＵにより実現され、出力許可保持部１９および秘密情報記憶部１２としての機能は同じくＩＣカードのＩＣモジュールにそなえられたメモリ（ＩＣメモリ）により実現される。更に、秘密情報出力部１３としての機能はＩＣカードの通信端子３１や通信アンテナにより実現することができる。
すなわち、カード部３ｂは、所有者の秘密情報を記憶するＩＣメモリ（秘密情報記憶部１２）と、この秘密情報の出力を許可する旨の出力許可を保持可能なＩＣメモリ（出力許可保持部１９）と、ＩＣメモリ（秘密情報記憶部１２）に記憶された秘密情報を外部に出力可能な接続端子３１（秘密情報出力部１３）と、ＩＣメモリ（出力許可保持部１９）に出力許可が保持されている場合に、接続端子３１（秘密情報出力部１３）にＩＣメモリ（秘密情報記憶部１２）に記憶された秘密情報を出力させるＩＣモジュール（通信制御部１０）とをそなえて構成されているのである。
出力許可設定部２０は、照合部７による照合の結果、照合用バイオメトリクス特徴情報が所有者本人のものであると認識された場合に、カード部３ｂの出力許可保持部１９にその出力許可（認証結果）をフラグとして保持させるものであり、ＩＣカードに種々の情報を書き込むＩＣカードライタとしての機能をそなえている。
そして、本体部２ｂにおいては、バイオメトリクス情報入力部４，抽出部５，照合部７，認証結果削除部９，未使用状態検出部１１および出力許可設定部２０としての機能はＣＰＵにより実現することができ、参照用バイオメトリクス特徴情報記憶部６としての機能はＲＯＭやＲＡＭにより実現することができる。
さらに、本第２実施形態の認証機能付きＩＣカード装置１ｂは、図１３に示すように、カード部３が本体部２に対して挿入可能に構成されており、これにより、カード部３が本体部２に対して脱着可能に構成されている。具体的には、本体部２ｂには、カード部３ｂを挿入可能なカードスロット４２が形成されており、カード部３ｂをこのカードスロット４２に挿入（嵌挿）することができるようになっている。すなわち、このカードスロット４２が、カード部（カード型記憶媒体）３ｂを脱着可能に取り付けられるカード型記憶媒体取付部として機能するようになっている。
なお、カードスロット４２には、図示しない蓋をそなえたり、カード部３をきつめに嵌め合わせたりする等、カードスロット４２にカード部３ｂを挿入した状態で、カード部３ｂを下に向けた程度ではカード部３ｂがカードスロット４２から抜け落ちたりしないように構成することが望ましい。
また、カードスロット４２の内側における、カード部３ｂの通信端子３１に対向する位置には、挿入されたカード部３ｂの通信端子３１に接触するように突出して接点部（図示省略）が形成されている。そして、カード部３ｂをカードスロット４２に挿入することにより、この接点部がカード部３ｂの通信端子３１に接触して、カード部３ｂにそなえられたＩＣチップやメモリ（認証結果保持部８，秘密情報記憶部１２）等との間で、種々の情報を通信することができるようになっている。
すなわち、出力許可設定部２０は、これらの接点部や通信端子３１を介して、カード部３ｂのＩＣメモリに出力許可を設定することができるようになっている。
なお、本第２実施形態においては、カード部３ｂとして、従来のＩＣカードと同一もしくは略同一の形状（カード形状）をそのまま利用することができるようになっており、カードスロット４２の接点部もこのような従来のＩＣカードの規格に基づいて構成されている。
また、このカード部３ｂは、通信規格についても、既存のＩＣカードに関する規格を満たしており、従来のＩＣカードと同様の通信機能をそなえていて、既存のＩＣカードリーダやＩＣカードリーダ／ライタを用いて、秘密情報記憶部１２に記憶された秘密情報を秘密情報出力部１３を介してＩＣカードリーダやＩＣカードリーダ／ライタに出力したり、又、ＩＣカードリーダ／ライタを用いて図示しないメモリ等に書き込んだりすることができるようになっている。
そして、カード部３ｂと本体部２ｂとの間においても、このような既存のＩＣカードリーダ／ライタとしての通信規格（プロトコル）に基づいて種々の情報の送受信を行なうことができるようになっている。
また、本体部２ｂにおいては、ＣＰＵが、カードスロット４２へカード部３ｂが挿入されたことや、カードスロット４２からカード部３ｂが抜き取られたことを検知するようになっている。
そして、未使用状態検出部１１は、照合部７によって照合用バイオメトリクス特徴情報が所有者本人のものであると認識された後に、カード部３ｂが本体部２ｂから取り外され、再度、この本体部２ｂに取り付けられたことを検出することにより、カード部３ｂが未使用状態であることを検出するようになっている。
また、本認証機能付きＩＣカード装置１ｂは、図示しない電源スイッチをそなえており、利用者が、この電源スイッチを用いて電源を入れることにより、指紋センサ４１やＣＰＵ等に給電され使用可能な状態になるようになっている。
上述の如く構成された本発明の第２実施形態としての認証機能付きＩＣカード装置１ｂにおいては、そのカードスロット４２にカード部３ｂを挿入した状態で、利用者が、認証機能付きＩＣカード装置１ｂの電源スイッチを入れることにより、その本体部２ｂにそなえられている指紋センサ４１やＣＰＵ等に給電され、指紋認証を行なうことが可能となる。
以下、第１実施形態の認証機能付きＩＣカード装置１ａと同様に、利用者が、指紋センサ４１に指を当てて指紋認証を行ない、入力された指紋が本認証機能付きＩＣカード装置１ｂの所有者本人のものであると認証された場合に、そのＲＡＭ（認証結果保持部８）に、入力された指紋が本認証機能付きＩＣカード装置１ｂの所有者本人のものである旨を示すフラグが設定され、又、利用者に対して、認証された旨の通知が行なわれる。
そして、利用者は、本体部２ｂのカードスロット４２からカード部３ａを取り出して、そのカード部３ｂをＩＣカードリーダに挿入する。このカード部３ｂにおいては、ＩＣモジュール（通信制御部１０）が、ＩＣカードリーダからの要求に応じて、ＩＣメモリ（秘密情報記憶部１２）に記憶されている暗証コードを出力する。
利用者は、本認証機能付きＩＣカード装置１ｂを使用した後には、そのカード部３ｂをカードスロット４２に格納する。本体部２ｂのＣＰＵ（未使用状態検出部１１）は、カード部３ｂがカードスロット４２に挿入されたことを検出することにより、カード部３ｂ（通信端子３１）が未使用状態になったことを検出し、ＣＰＵ（認証結果削除部９）は、ＩＣメモリ（出力許可保持部１９）に保持された出力許可（認証結果）のフラグを削除するのである。
なお、本第２実施形態の認証機能付きＩＣカード装置１ｂにおいても、カード部３ｂがカードスロット４２に挿入されたことが未使用状態検出部１１によって検知されるまでは、出力許可保持部１９に保持された出力許可（認証結果）のフラグは削除されないので、指紋認証が行なわれてからカード部３ｂがカードスロット４２に挿入されるまでの間に、ＩＣカードリーダからの要求に応じて複数の処理を行なうことができる。
このように、本発明の第２実施形態としての認証機能付きＩＣカード装置１ｂによっても、ＩＣカード（カード部３ｂ）に指紋認証機能がそなえられているので、利用者（認証対象者）が、本認証機能付きＩＣカード装置１ｂの所有者であることをバイオメトリクス情報（指紋情報）に基づいて認証することができるので、所有者以外による「なりすまし」を防止することができ、不当な権限者によるＩＣカードの不正利用を阻止してセキュリティ強度を上げることができる。
また、ＩＣカード形状を有するカード部３ｂを、カード部３ｂとほぼ同一形状を有する本体部２ｂに挿入するように取り付けるようになっているので、未使用時における本認証機能付きＩＣカード装置１ｂの大きさを小さく構成することができるので、利用者が携帯し易くなり利便性が向上する。
さらに、カード部３ｂとして既存のＩＣカードを使用することができるので既存のＩＣカードリーダ・ライタをそのまま利用して、そのセキュリティ強度を上げることができ経済的であり、又、利便性が高い。更に、本体部２ｂの構造も比較的安価に実現することができ、かかる点においても経済的である。
また、未使用状態検出部１１は、照合部７によって照合用バイオメトリクス特徴情報が所有者本人のものであると認識された後に、カード部３ｂが本体部２ｂから取り外され、再度、この本体部２ｂに取り付けられたことを検出することによって、カード部３ｂが未使用状態であることを検出するので、簡単な構成で、カード部３ｂの未使用状態を容易にかつ確実に認識することができる。
さらに、カード部３ｂを本体部２ｂに対して挿入可能に構成することにより、本認証機能付きＩＣカード装置１ｂを簡単に構成することができる。
（Ｃ）その他
そして、本発明は上述した実施形態に限定されるものではなく、本発明の趣旨を逸脱しない範囲で種々変形して実施することができる。
例えば、上述した第２実施形態においては、本体部２ｂに形成されたカードスロット４２にカード部３ｂを挿入することにより、カード部３ｂを本体部２ｂに対して着脱自在に構成しているが、これに限定されるものではない。
図１４は本発明の他の変形例としての認証機能付きＩＣカード装置（認証装置）の構成を模式的に示す斜視図である。この図１４に示す認証機能付きＩＣカード装置１ｃは、本体部２ｃとカード部３ｂをそなえて構成されていて、本体部４ｃにおける指紋センサ４１が形成された面とは反対側の面に、カード部３ｂが取り付けられるようになっている。なお、図中、既述の符号と同一の符号は同一もしくは略同一の部分を示しているので、その詳細な説明は省略する。
本体部２ｃにおいては、カード部３ｂの通信端子３に当接するように突出して接点部４３が形成されており、カード部３ｂをカードスロット４２に挿入することにより、この接点部４３がカード部３ｂの通信端子３１に接触して、カード部３ｂにそなえられたＩＣチップやメモリ（認証結果保持部８，秘密情報記憶部１２）等との間で、種々の情報を通信することができるようになっている。
また、本体部２ｃにおける接点部４３が形成された面の周辺部には、カード部３ｂをこの面上に取り付けるための爪部４４および押さえ部４５が形成されている。爪部４４は、本体部２ｃにおける接点部４３が形成された面の長手方向の辺にそなえられており、例えばプラスチック等の弾性を有する樹脂等によって構成されている。押さえ部４５は、本体部２ｃにおける同一面上であって、その短手方向の辺にそなえらえた板状突起であり、カード部３ｂが、本体部２ｃにおける接点部４３が形成された面の長手方向に移動してしまわないように固定するものである
すなわち、かかる認証機能付きＩＣカード装置１ｃにおいては、爪部４４および押さえ部４５が、カード部（カード型記憶媒体）３ｂを脱着可能に取り付けられるカード型記憶媒体取付部として機能するようになっている。
このような構成された本認証機能付きＩＣカード装置１ｃにおいても、第２実施形態の認証機能付きＩＣカード装置１ｂと同様の作用効果を得ることができ、又、ＩＣカード形状を有するカード部３ｂを、カード部３ｂとほぼ同一形状を有する本体部２ｃに重ねるように取り付けるようになっているので、未使用時における本認証機能付きＩＣカード装置１ｃの大きさを小さく構成することができるので、利用者が携帯し易くなり利便性が向上する。
また、カード型記憶媒体取付部の構成は、これらに限定されるものではなく、例えば、磁石や接着剤，面ファスナー等のいずれの手法を用いて本体部にカード部を取り付けてもよく、本発明の趣旨を逸脱しない範囲で種々変形して実施することができる。
さらに、上述した各実施形態においては、カード部３ａ，３ｂは接触型端子である通信端子３１をそなえ、この通信端子３１を介してＩＣカードリーダやＩＣカードリーダ／ライタ，本体部２ｂ，２ｃと通信しているが、これに限定されるものではなく、カード部が、例えばコイル状の非接触インターフェース用アンテナ等の非接触型通信機能をそなえ、この非接触通信機能を用いて、ＩＣカードリーダやＩＣカードリーダ／ライタ等の外部との間で通信を行なったり、本体部２ｂ、２ｃとの間で通信を行なったりしてもよく、これにより、ＩＣカードリーダやＩＣカードリーダ／ライタ，本体部２ｂ、２ｃ等との間で容易に通信することができる。
例えば、第１実施形態の認証機能付きＩＣカード装置１ａにおいて、通信端子３１に代えて非接触型通信機能をそなえ、この認証機能付き非接触ＩＣカードを開いて指紋認証を行なった後に、認証機能付き非接触ＩＣカードを開いた状態で、そのカード部で非接触ＩＣカードリーダを軽く叩くようにすることで、カード部から非接触ＩＣカードリーダに暗証コードが送信され、更に、この叩いた勢いで認証機能付きＩＣカード装置１ａを閉じることもでき、利便性が高い使い方ができるのである。
また、上述した第１実施形態では、バイオメトリクス情報入力部４，抽出部５，参照用バイオメトリクス特徴情報記憶部６，照合部７，認証結果保持部８，認証結果削除部９，通信制御部１０および未使用状態検出部１１が本体部２にそなえられるとともに、秘密情報記憶部１２および秘密情報出力部１３がカード部３にそなえられているが、これに限定されるものではなく、抽出部５，参照用バイオメトリクス特徴情報記憶部６，照合部７，認証結果保持部８，認証結果削除部９，通信制御部１０，未使用状態検出部１１および秘密情報記憶部１２を、本体部およびカード部のいずれにそなえてもよく、更に、参照用バイオメトリクス特徴情報記憶部６を、例えば、本認証機能付きＩＣカード装置と通信可能に接続されたコンピュータシステム等のいずれにそなえてもよい。
さらに、上述した各実施形態においては、バイオメトリクス情報として、指紋を用いているが、これに限定されるものではなく、例えば、掌紋，指形，掌形，音声，網膜，虹彩，顔画像，動的署名，血管パターン，キーストローク等の他のバイオメトリクス情報を用いてもよい。
また、本体部とカード部との構造についても、第１実施形態の認証機能付きＩＣカード装置１ａのようにカード部３ａと本体部２ａとを蝶番１７を介して折りたたみ可能に接続するとともに、更に、このカード部３ａを、本認証機能付きＩＣカード装置１ａから脱着可能に構成してもよい。
さらに、第１実施形態の認証機能付きＩＣカード装置１ａにおけるロック機構１５の構成は、上述した実施形態に限定されるものではなく、例えば、磁石等を用いてカード部３ａと本体部２ａとを展開した状態でロックしてもよく、本発明の趣旨を逸脱しない範囲で種々変形して実施することができる。このようなロック機構１５の構成としては、折りたたみタイプの携帯電話やフラップタイプを携帯電話に一般的に用いられている種々の手法を適用してもよい。
また、認証機能付きＩＣカード装置１ａにおいては、認証結果削除部９が、秘密情報出力部１３が秘密情報を出力した直後に認証結果保持部８に保持された認証結果を削除してもよく、これにより、利用者が本認証機能付きＩＣカード装置１ａを使用直後に紛失してしまった場合においても、その認証結果が削除されるので、この認証機能付きＩＣカード装置１ａを取得した者によって使用されることがなく、認証機能付きＩＣカード装置１ａのセキュリティ強度を高めることができる。
さらに、上述した認証機能付きＩＣカード１ｂ，１ｃにおいては、認証結果削除部９をカード本体部３ｂにそなえ、秘密情報出力部１３が秘密情報を出力した直後に、この認証結果削除部９が、出力許可保持部１９保持された出力許可を削除してもよく、これにより、利用者が本認証機能付きＩＣカード装置１ｂ，１ｃのカード部３ｂを本体部２ｂ，２ｃに戻す前に紛失してしまった場合においても、その出力許可が削除されるので、このカード部３ｂを取得した者によって使用されることがなく、そのセキュリティ強度を高めることができる。
なお、本発明の各実施形態が開示されていれば、当業者によって製造することが可能である。
【産業上の利用可能性】  以上のように、本発明の電子記憶装置，認証装置および認証方法は、認証対象者がカード型記憶媒体の所有者であることを認証するのに有用であり、特に所有者の秘密情報を記憶したＩＣカードに適している。
【図１】
2004023390.tif 000003
【図２】
2004023390.tif 000004
【図３】
2004023390.tif 000005
【図４】
2004023390.tif 000006
【図５】
2004023390.tif 000007
【図６】
2004023390.tif 000008
【図７】
2004023390.tif 000009
【図８】
2004023390.tif 000010
【図９】
2004023390.tif 000011
【図１０】
2004023390.tif 000012
【図１１】
2004023390.tif 000013
【図１２】
2004023390.tif 000014
【図１３】
2004023390.tif 000015
【図１４】
2004023390.tif 000016
【国際調査報告】
2004023390.tif 000017
2004023390.tif 000018
2004023390.tif 000019
2004023390.tif 000020